(57)【特許請求の範囲】
【請求項１】
内部に収納物を収納する本体と、
前記本体の前面側から前記収納物を前記本体の内部に収納可能にする、前記本体に対して開閉自在な収納用手段と、
板状体であって、前記収納用手段の収納部底面に密着する下側位置と前記収納部底面からその上方に退避した上側位置との間で、下端部に設けられた軸を支点に回動自在にされた、前記収納物の検出板と、
前記収納用手段に連結され、前記収納用手段が前記本体の前面側に開放している時に前記検出板を前記上側位置に停止させる保持力が前記検出板に作用し、かつ前記収納用手段が前記本体の前面側を閉鎖している時に前記保持力が解除されるように前記収納用手段の開閉動作を前記検出板に伝達する連動部材と、
前記本体の底面側で且つ前面側に位置し、前記検出板が前記下側位置にあることを検出する検出部材と、
を備え、
前記収納用手段が前記本体の前面側を閉鎖することで前記検出板が前記下側位置にきたときに、前記収納用手段の前記収納部底面と前記検出板とのそれぞれの一部にそれらが凹凸係合する係合部を設けた、収納装置。
【請求項２】
前記収納用手段は、前記本体の前面側下部を支点に前後方向に回転自在に設けられた蓋体と、前記蓋体に直角となるように前記本体の前面側下部において一体的に設けられ、前記収納物を配置可能な平板状の収納部底面と、を備える請求項１記載の収納装置。
【請求項３】
前記収納用手段は、前記本体の下部において前後方向に移動自在な引き出しであり、前記収納部底面は前記引き出しの底面である、請求項１記載の収納装置。
【発明の詳細な説明】
【技術分野】
【０００１】
この発明は、収納部を開閉する蓋体を備え、収納部における物体の存否を検出するようにした収納装置に関する。
【背景技術】
【０００２】
キーボックスは、蓋体によって開閉される収納部に鍵を収納し、収納部における鍵の収納状態を検出するようにしている。蓋体の開閉状態を検出することによって鍵の収納状態を検出するものでは、収納部における鍵の有無を直接的に検出することができない。
【０００３】
そこで、従来のキーボックスでは、収納部内に鍵が存在するか否かを歪みゲージを用いて検出するようにしたものがある（例えば、特許文献１参照。）。収納部における鍵の有無を歪みゲージによって直接的に検出することができ、鍵の収納状態を正確に検出できる。
【先行技術文献】
【特許文献】
【０００４】
【特許文献１】特開２００８−００７９８２号公報
【発明の概要】
【発明が解決しようとする課題】
【０００５】
しかし、歪みゲージによって収納物の有無を検出する構成を一般的な収納装置に適用した場合、軽量物の有無を正確に検出することができない。鍵を収納するキーボックスであっても、カード型等の軽量の鍵の有無を正確に検出できない可能性がある。
【０００６】
また、収納部内における物品の有無を光学的に検出することも考えられるが、小型や薄手の収納物の有無を正確に検出するためには、光学センサを多数配置する必要があり、コストの上昇を招く。
【０００７】
この発明の目的は、収納部における収納物の有無を廉価かつ正確に検出することができる収納装置を提供することにある。
【課題を解決するための手段】
【０００８】
この発明の収納装置は、本体、蓋体、検出板、連動部材、検出部材を備えている。本体は、開口部を有し、内部の収納部に収納物を収納する。蓋体は、開口部を開閉する。検出板は、収納部の底面に匹敵する大きさの板状体であって、収納部の底面に密着する下側位置と収納部の底面の上方に退避した上側位置との間に移動自在にされている。連動部材は、少なくとも蓋体が開口部の全面を開放している時に上側位置に停止する保持力が検出板に作用し、かつ少なくとも蓋体が開口部の全面を閉鎖している時に保持力が解除されるように蓋体の開閉動作を検出板に伝達する。検出部材は、下側位置にある検出板を検出する。
【０００９】
蓋体が開口部の全面を開放している状態では、検出板は保持力によって上側位置に停止し、開口部と収納部の底面との間に検出板が存在せず、開口部を経由して収納部の底面が外部に露呈する。蓋体が開口部の全面を閉鎖している状態では、検出板には保持力が作用せず、検出板は自重によって下側位置に向かう。蓋体が開口部の全面を閉鎖している状態で、収納部の底面上に収納物が存在しない場合には、検出板は下側位置に達し、検出部材によって検出される。蓋体が開口部の全面を閉鎖している状態で、収納部の底面上に収納物が存在する場合には、検出板は収納物に当接して下側位置に達せず、検出部材によって検出されない。
【００１０】
この構成において、収納部の底面及び検出板の一方と他方とに互いに嵌合する凸部と凹部とを形成する。収納部の底面に薄手の収納物が収納された場合にも、収納物が凸部に当接することで凸部と凹部とが嵌合せず、検出板が下側位置に達しないため、収納物の存在を確実に検出できる。
【００１１】
また、検出板は、平面視における収納部の底面の長辺に平行な軸廻りに回転自在に支持する。収納部の高さに関わらず、収納部の底面に匹敵する大きさの検出板を上側位置と下側位置との間に移動自在にすることができる。
【００１２】
さらに、検出部材を収納部の底面に形成された貫通孔の下方に配置し、検出板に貫通孔を貫通する突起を設ける。収納部の底面上に収納された収納物によって検出部材が検出板を誤検出することを防止できる。
【００１３】
蓋体が下端部を軸に回転自在に支持されている場合、蓋体に収納部の底面における第１の端部を一体的に固定し、収納部の底面における第１の端部に平行な第２の端部を、下端部で回転自在に支持された検出板に当接する連動部材として用いる。最も簡単な構成で、蓋体の開閉動作に応じて検出板を上側位置と下側位置との間に移動させることができる。
【発明の効果】
【００１４】
この発明によれば、収納部における収納物の有無を廉価かつ正確に検出することができる。
【図面の簡単な説明】
【００１５】
【図１】本発明の第１の実施形態に係る収納装置の外観図である。
【図２】（Ａ）及び（Ｂ）は、同収納装置における蓋体及び検出板の動作を示す側面断面図である。
【図３】（Ａ）及び（Ｂ）は、同収納装置における収納物の検出状態を示す側面断面図である。
【図４】本発明の第２の実施形態に係る収納装置の外観図である。
【図５】（Ａ）及び（Ｂ）は、第２の実施形態に係る収納装置を抽斗式の蓋体に適用した場合の連動部材の動作を示す平面図である。
【図６】（Ａ）及び（Ｂ）は、第２の実施形態に係る収納装置を横開き式の蓋体に適用した場合の連動部材の動作を示す平面図である。
【発明を実施するための形態】
【００１６】
以下に、本発明の実施形態に係る収納装置について、図面を参照しつつ説明する。
【００１７】
図１に示すように、本発明の第１の実施形態に係る収納装置１０は、本体１、蓋体２、収納部底面３、検出板４、検出スイッチ５を備えている。
【００１８】
本体１は、前面の全面を開口部１１とした直方体形状の筐体であり、背面板１２、上面板１３、底面板１４、側面板１５，１６を備えている。図１では、上面板１３及び側面板１６を二点鎖線で示している。
【００１９】
蓋体２は、下端部から両側方に延出した軸２１を側面板１５，１６の図示しない穴部に嵌入させることにより、本体１に回転自在に支持された板状体であり、回転によって開口部１１を開閉する。蓋体２の前面には摘まみ２２が取り付けられている。
【００２０】
収納部底面３は、矩形の平板状を呈し、第１の端部である前端部３１を蓋体２の裏面側の下端部に接合させて蓋体２に一体的に取り付けられている。蓋体２と収納部底面３とは側面視において直角に配置されている。蓋体２が開口部１１を閉塞している状態で、収納部底面３は、本体１内で水平状態となる。
【００２１】
蓋体２と収納部底面３とで本発明の収納用手段が構成されている。収納物はこの収納部底面３上に載置される。  
検出板４は、矩形の板状体である。検出板４は、本体１の内部における収納部底面３よりも背面側の位置で、下端部から両側方に延出した軸４１を側面板１５，１６の図示しない穴部に嵌入させている。検出板４は、本体１の底面板１４側に位置する下側位置と底面板１４と反対側（上面板１３側）である上側位置との間に移動自在に設けられている。
検出板４は、本体１内で略水平又は水平となる下側位置と所定角度傾斜した状態である上側位置との間で軸４１を中心に回転自在に支持されている。検出板４は、収納部底面３よりも僅かに小さい収納部底面３に匹敵する面積にされている。軸４１は、検出板４が下側位置で収納部底面３に密着できるように、収納部底面３よりも上方に配置する。
【００２２】
検出スイッチ５は、この発明の検出部材に相当し、本体１内における収納部底面３よりも下方に配置され、底面板１４の前端部側に固定されている。
【００２３】
収納部底面３には、水平状態で検出スイッチ５に対向する位置に貫通孔３２が形成されている。また、収納部底面３には、上方に突出した凸部３３が２箇所に形成されている。凸部３３は一例として平面視において円形を呈しているが、これに限るものではない。
【００２４】
検出板４には、下側位置で貫通孔３２を通過する突起４２、凸部３３に対向する凹部４３が形成されている。凹部４３は、円形の貫通孔であるが、凸部３３の全体が嵌入することを条件に、これに限るものではない。また、収納部底面３に凹部を形成し、検出板４に凸部を形成することもできる。
【００２５】
図２（Ａ）に示すように、蓋体２が本体１の開口部１１を閉鎖している状態では、検出板４が下側位置にあり、凸部３３の全体が凹部４３内に嵌入し、凹部４３を除く検出板４の全面が収納部底面３に密着するとともに、突起４２が貫通孔３２を通過して検出スイッチ５を押下する。
【００２６】
図２（Ｂ）に示すように、蓋体２が本体１の開口部１１を開放している状態では、収納部底面３の後端部３４が検出板４を押し上げる。収納部底面３がこの発明の連動部材に相当する。このため、検出板４は上側位置にあり、開口部１１を経由して収納部底面３が外部に露呈する。開口部１１を経由して本体１内に収納物を投入できる。本体１内に投入された収納物は、蓋体２が開口部１１を閉鎖すると、収納部底面３上に載置された状態で収納される。なお、図２（Ａ）及び（Ｂ）に示す例では、蓋体２は略４５度の角度範囲で回転しているが、収納部底面３の後端部３４が検出板４から外れない範囲で蓋体２を回転させることができる。
【００２７】
図３（Ａ）及び（Ｂ）に示すように、開口部１１を経由して本体１内に収納物Ｐが投入された後、蓋体２によって開口部１１が閉鎖され、収納部底面３上に収納物Ｐが存在する状態では、検出板４は収納物Ｐとの当接によって収納部底面３に密着せず、突起４２は検出スイッチ５を押下しない。
【００２８】
例えば、蓋体２による開口部１１の開閉状態を検出する開閉検知スイッチを設け、開閉検知スイッチが開口部１１の閉鎖状態を検出している場合に、検出スイッチ５が押下されていない時には、本体１内に収納物Ｐが存在することになる。また、開閉検知スイッチが開口部１１の閉鎖状態を検出している場合に、検出スイッチ５が押下されている時には、本体１内に収納物Ｐが存在しないことになる。
【００２９】
検出スイッチ５は、検出板４が収納部底面３に密着した場合にのみ突起４２よって押下されるため、単一の検出スイッチ５のみにより、図３（Ａ）に示す小型の収納物Ｐが収納された状態をも確実に検出できる。
【００３０】
また、収納部底面３に凸部３３を形成しているため、単一の検出スイッチ５のみにより、図３（Ｂ）に示す薄型の収納物Ｐが収納された状態をも確実に検出できる。
【００３１】
検出スイッチ５は、機械式のスイッチだけでなく、収納部底面３の貫通孔３２を通過して下方に露出した突起４２を光学的に検出する光学式のスイッチを用いることもできる。
【００３２】
収納物の落下を防止すべく、蓋体２と収納部底面３との両側端部に扇形又は三角形状の側板を設けることもできる。この場合には、検出板４の幅は両側板の内側面の間隔よりも狭くする。
【００３３】
図４に示すように、本発明の第２の実施形態に係る収納装置１１０は、本体１、検出板４及び検出スイッチ５とともに、第１リンク６１、第２リンク６２、コロ６３、レール６４を備えている。図４において、本体１の上面板１３及び側面板１６は省略している。
【００３４】
第１リンク６１、第２リンク６２、コロ６３、レール６４は、この発明の連動部材を構成している。第１リンク６１は、両端部にそれぞれ突起６１１，６１２を備えている。第２リンク６２は、一端部の軸６２１廻りに本体１の底面板１４に回転自在に支持されている。第２リンク６２の他端部にはＵ字状の係止部６２２が形成されている。第２リンク６２には、第１リンク６１の突起６１１が下方から摺動自在に嵌入する長孔６２３が形成されている。コロ６３は、周面を検出板４に当接させており、本体１の側面板１５に固定されたレール６４に案内されて、本体１内で前後方向に移動自在にされている。コロ６３の回転軸６３１は、第２リンク６２の係止部６２２に嵌入している。
【００３５】
図４に示す状態から、第１リンク６１の突起６１２を本体１の背面側に押し込むと、突起６１１が長孔６２３内を軸６２１側に摺動し、第２リンク６２が矢印Ｃ１方向に回転する。この回転によって、係止部６２２が本体１内で前面側に移動し、コロ６３を回転軸６３１とともに前面側に移動させる。検出板４におけるコロ６３の当接位置が上方に移動し、検出板４が軸４１廻りに矢印Ｃ２方向に回転する。
【００３６】
なお、レール６４を本体１の左右両側面板１５，１６に設け、回転軸６３１の両端部にコロ６３を固定することもできる。
【００３７】
図５（Ａ）及び（Ｂ）に示すように、本体１の開口部１１から前方に引き出される引き出し７を備え、引き出し７に突起６１２が下方から嵌入する前後方向の長孔７１を形成する。図５（Ａ）に示すように、引き出し７が本体１内に収納されている状態では、突起６１２が長孔７１の前端部７１Ａに当接して本体１の背面側に押圧され、突起６１１が長孔６２３の軸側端部６２３Ａ側に位置している。このため、係止部６２２がコロ６３とともに最も前面側に位置し、検出板４は下側位置で引き出し７の底面である収納部底面３に密着する。
【００３８】
図５（Ｂ）に示すように、引き出し７が本体１から最も引き出されている状態では、突起６１２が長孔７１の後端部７１Ｂに当接して本体１の前面側に引き出され、突起６１１が長孔６２３の係止部側端部６２３Ｂに位置している。このため、係止部６２２がコロ６３とともに最も背面側に位置し、検出板４は上側位置で収納部底面３から離間している。
【００３９】
このように、引き出し７の前後方向の移動が、連動部材を介して検出板４に上下方向の回転力として伝達される。引き出し７を前面側に引き出した状態では、検出板４を上側位置に停止させて収納部底面３を外部に露呈させ、引き出し７を背面側に押し込んだ状態では、検出板４を下側位置に移動させて収納部底面３上における収納物の有無を検出することができる。
【００４０】
なお、引き出し７の側面７２との干渉を避けるため、検出板４には切り込み４４が形成されている。
【００４１】
図６（Ａ）及び（Ｂ）に示すように、右側端部の軸８４廻りに回転して本体１の開口部１１を開閉する横開きの扉８を備え、扉８に突起６１２が下方から嵌入する前後方向の長孔８１を形成した円弧状のレバー８２の一端部を固定する。図６（Ａ）に示すように、扉８が開口部１１を閉鎖している状態では、第１リンク６１の突起６１２が長孔８１の前端部８１Ａに当接して本体１の背面側に押圧され、突起６１１が長孔６２３の軸側端部６２３Ａ側に位置している。このため、第２リンク６２の係止部６２２がコロ６３とともに最も前面側に位置し、検出板４は下側位置で収納部底面３に密着する。
【００４２】
図６（Ｂ）に示すように、扉８が開口部１１を開放している状態では、第１リンク６１の突起６１２が長孔８１の後端部８１Ｂに当接して本体１の前面側に引き出され、突起６１１が長孔６２３の係止部側端部６２３Ｂに位置している。このため、第２リンク６２の係止部６２２がコロ６３とともに最も背面側に位置し、検出板４は上側位置で収納部底面３から離間している。
【００４３】
このように、扉８の回転が、連動部材を介して検出板４に上下方向の回転力として伝達される。扉８が開口部１１を開放している状態では、検出板４を上側位置に停止させて収納部底面３を外部に露呈させ、扉８が開口部１１を閉鎖している状態では、検出板４を下側位置に移動させて収納部底面３上における収納物の有無を検出することができる。
【００４４】
なお、図６（Ａ）および（Ｂ）に示す例では、本体１内における第１リンク６１及び第２リンク６２の上方に収納部底面３を固定しているが、扉８に平面視において扇形を呈する収納部底面を固定することもできる。
【００４５】
図６（Ａ）及び（Ｂ）に示す例では、長孔８１の後端部８１Ｂにスプリング８３を備え、係止部６２２が最も背面側に移動した状態から扉８をさらに開放方向に回転できるようにしている。扉８の回転角度と検出板４の上下方向の移動量とに応じて、スプリング８３を選択的に備えることができる。
【００４６】
なお、この発明の連動部材は、上述の例に限るものではなく、少なくとも開口部１１の開放時に検出板４を上側位置に停止させ、かつ少なくとも開口部１１の閉鎖時に検出板４を下側位置に移動させることができることを条件に、任意の構成とすることができる。
【符号の説明】
【００４７】
１−本体
２−蓋体
３−収納部底面（底面）
４−検出板
５−検出スイッチ（検出部材）
【図１】
0006489306.tif 000002
【図２】
0006489306.tif 000003
【図３】
0006489306.tif 000004
【図４】
0006489306.tif 000005
【図５】
0006489306.tif 000006
【図６】
0006489306.tif 000007